(57)【特許請求の範囲】
【請求項１】
両面に被覆シートを張設してなる石膏ボードであって、該ボードの長手方向中心線の両側の対称位置に該中心線と平行にＶ字溝を形成し、両溝のそれぞれ底部を中心として長手方向中心線上に両側の上記ボードを対立させて上記石膏ボードをほぼ２倍厚強に折畳形成し、対称位置にある上記Ｖ字溝の間は長手方向中心線に沿って幅の狭い平面を形成し、該平面により上記ボードの対立面間に幅の狭い間隙が形成され、該間隙には該間隙厚の短鋼板を長手方向に一定間隔に介在させ、他の対立面は接着剤で接着し、又は皿ネジで螺着し、又はホッチキスで縫綴し、一方の折畳石膏ボードの長手方向中心線の一端部一側を切欠いて他側を延長し、他方の折畳石膏ボードの長手方向中心線の他端部他側を切欠いて一側を延長し、一方の折畳石膏ボードの上記切欠き部に他方の折畳石膏ボードの上記延長部を配置し、一方及び他方の石膏ボードの対立面を接着、縫綴又はネジ等によって接続するカーテンボックスの側板とするカーテンボックスの側板。
【請求項２】
上記折畳形成した石膏ボードの対立面間に金属製直角屈曲取付板の直立部を挟持し、該取付板の水平部を直角に突出させて建築物の構成材に上記突出部を止着するよう形成した請求項１記載のカーテンボックスの側板。
【発明の詳細な説明】
【０００１】
【発明の属する技術分野】
本発明は部屋の窓際及び天井側に設けられるカーテンレール等を遮蔽する側板又は縁板に関するものである。
【０００２】
【従来の技術】
従来、窓を開閉するカーテンのレールや開閉シャッターの天井側取付部分は下向の側板又は縁板によって遮蔽され、天井側窓際にカーテンボックスが形成される。
【０００３】
上記側板又は縁板は元来木板又は屈曲金属板等が用いられたが、木板では前後、上下の反りの修正等が行われ工事に時間と労力を要したし、薄鋼板を屈曲し角パイプ状に溶接する時間と労力を要し、スパンの長い主柱間隔寸法に合致させるため熟練と時間を要し、かつ温度変化により伸縮した。
【０００４】
このように窓際の側板工事には時間、労力を要し、天井張設工事が早期に終了するため、側板工事の側板の下面から一定寸法水準に天井下面を張設することは困難であり、側板工事により天井工事が遅れるという問題があった。
【０００５】
木板側面の平面工事及び上下面水平研削工事等は現場で行うことが困難であり形鋼の屈曲成形にしても現場で行うことは困難である作業時間、労力及び材料が高価であり、工費が大であるという問題があった。
【０００６】
【発明が解決しようとする課題】
本発明は労力が少なく工期が短く、作業が簡単で迅速にカーテンレール等の側板工事を行い、材料が軽く安価で前後上下の反りもなく天井作業の前に作業を終了し得て天井水準を側板の一定水準に支持し得て作業手順及び仕上良好なカーテンボックス等の側板及びその施工法を提供することを目的とする。
【０００７】
上記の目的を達成するため本発明は
両面に被覆シートを張設してなる石膏ボードであって、該ボードの長手方向中心線の両側の対称位置に該中心線と平行にＶ字溝を形成し、両溝のそれぞれ底部を中心として長手方向中心線上に両側の上記ボードを対立させて上記石膏ボードをほぼ２倍厚強に折畳形成し、対称位置にある上記Ｖ字溝の間は長手方向中心線に沿って幅の狭い平面を形成し、該平面により上記ボードの対立面間に幅の狭い間隙が形成され、該間隙には該間隙厚の短鋼板を長手方向に一定間隔に介在させ、他の対立面は接着剤で接着し、又は皿ネジで螺着し、又はホッチキスで縫綴し、一方の折畳石膏ボードの長手方向中心線の一端部一側を切欠いて他側を延長し、他方の折畳石膏ボードの長手方向中心線の他端部他側を切欠いて一側を延長し、一方の折畳石膏ボードの上記切欠き部に他方の折畳石膏ボードの上記延長部を配置し、一方及び他方の石膏ボードの対立面を接着、縫綴又はネジ等によって接続するカーテンボックスの側板とするカーテンボックスの側板
上記折畳形成した石膏ボードの対立面間に金属製直角屈曲取付板の直立部を挟持し、該取付板の水平部を直角に突出させて建築物の構成材に上記突出部を止着するよう形成した上記第１発明記載のカーテンボックスの側板
によって構成される。
【０００８】
【発明の実施の形態】
両面に厚紙による被覆シート１，１を張設してなる長方形規格寸法の石膏ボード２（厚１０〜１５ｍｍ）を幅Ｗ２６〜３０ｍｍに縦長に切取る。その長さは部屋の壁面１２，１２の間隔又はホテルの小窓では小窓のカーテンボックス長に切断する。
【０００９】
このように切取った石膏ボード２の長手方向中心線ａの両側の対称位置に該中心線ａと平行に開き角αが９０度のＶ字溝３，３を形成し、両溝３，３のそれぞれ底部３’を中心として長手方向中心線ａ上に両側の上記ボード２，２を対立させて上記石膏ボード２をほぼ２倍強の厚さに折畳むものである。上記底部３’は下部の被覆シート１によって形成する。
【００１０】
図１、図２に示すように両溝３，３の中間には開き角βが９０度の山条１３が形成され、頂部に幅の狭い平面３”（幅２ｍｍの平坦条）を形成し、折畳むことによって上記ボード２，２の対立面２”、２”間に２ｍｍの間隙ｔが形成される（図２実線）。
【００１１】
上記間隙ｔには２ｍｍ厚の短鋼板１４を長手方向に一定間隔に介在させ、他の対立面２”、２”は接着剤１５で接着し、又は皿ネジ１６で螺着し、又はホッチキス１７で縫綴する。
【００１２】
図３、図４に示すように上記石膏ボード２を長手方向に継ぎ足す場合は一方の石膏ボード２の長手方向中心線ａの一端部一側４を切欠いて他側５を延長し、他方の石膏ボード２の長手方向中心線ａの他端部他側４’を切欠いてその一側５’を延長する。
【００１３】
そして一方の石膏ボード２の上記切欠き部に他方の石膏ボード２の一側５’を配置して充足し、その状態で一方及び他方の石膏ボード２，２の対立面２”、２”を接着剤１５で接着、ホッチキス１７で縫綴又は皿ネジ１６等によって接続させる。
【００１４】
さらに図５、図６（イ）（ロ）図に示すように上記２倍厚強に折畳形成される２個の折畳石膏ボード２’を直角に交差させる場合は、図７に（交差部を開いて）示すように双方の内側切欠先端面６’、６’を切欠き、一方の外側先端面７を他方の外側先端内側面７’に接し、一方の切欠長さｔが他方の切欠長さＴよりも小に形成する（例えば図６（イ）図ではＴ＞２ｔ、（ロ）図ではＴ＝２ｔ）。
【００１５】
そして双方の切欠先端面６’、６’と双方の切欠内側面７”、７”とによって囲まれる方形空間８を形成し、該空間８の深さＨが図７に示すように上記折畳石膏ボード２’（２倍厚強対立石膏ボード）の幅Ｗの中程（望ましくは２Ｗ／３）であって、該空間８に木等による方形補強材９を嵌合し、接着剤、皿ネジ等によって少なくとも双方の切欠内側面７”、７”と該補強材９とを止着して折畳石膏ボード２’、２’のコーナー部１０を形成し（尤も上記空間８の内周面と上記補強材９の外周面とを接着剤で止着することを除外するものではない）、該コーナー部１０を補強し、ホテル等の小窓のカーテンボックスの両端部を屈曲形成する（図１１）。
【００１６】
上述の２倍厚強折畳石膏ボード２’の対立面２”、２”間に鉄製又はステンレス製屈曲取付板１１（直角屈曲帯板厚さ２ｍｍ）の直立部を一定間隔毎に接着剤、ネジ等で一体に挟持し、水平部を図４仮想線で示すように側方に突出１１’し、これを図８及び図９に示すよう建築物の天井スラブ１８の窓際下面や野縁受１９の下面等の構成材の下面１９’に上記突出部１１’を皿ネジ２０等で止着し、該突出部１１’の下面を合板２１で被覆し、その下面に化粧石膏ボード２２を当て、これを上記構成材に皿ネジ２０で止着して固定することにより上記２倍厚強折畳石膏ボード２’とガラス窓２３の上部支持材２４との間にカーテンボックス２５を形成することができる。上記合板２１は図１２に示すように積重石膏ボード２の上下に当てられている梱包用合板２１’、２１’を所定寸法に鋸で切断して用いることができる。
【００１７】
又図１０に示すように天井際に設けたテレース２６に上向に上記折畳石膏ボード２’を反対向（折畳部上）に止着し、該ボード２’の内側に電球２７を配設して天井際間接照明を施工することができる。
【００１８】
尚図８中２８は内部塗装、２９はカーテンレール、３０はカーテン吊金具、３１はカーテン、３２は嵌殺窓ガラス、３３はその金属製窓枠、図９中３４は野縁、３５は断熱天井、３５’は該天井３５の最低水準位置、３６は窓２３の開閉シャッター、３７は梱包用バンド、図１１中３８は小窓用カーテンボックス取付金具である。
【００１９】
【発明の効果】
本発明は上述の２倍厚強の折畳石膏ボードによる側板を用いたので、広い窓のカーテンボックスの側板が所定寸法に正確かつ迅速に形成され、現場での手直しに時間を要せず、軽量で強く温度変化による伸縮のない側板が得られる効果がある。
【００２０】
そして上記折畳石膏ボードは相当に長いカーテンボックスに適用し得るばかりでなく、短く小さいカーテンボックス両端を直交させ、コーナー部を補強することができる。
【００２１】
又施工に際しては金属製屈曲取付板を対立面に挟持し建築物の構成材に容易かつ迅速に施工し得るため、天井工事の前に上記カーテンボックス等が施工され、天井工事は後工事として時間的に合理的に天井窓際工事を終了し得る利点がある。
【図面の簡単な説明】
【図１】本発明のカーテンボックス等の側板の展開斜視図である。
【図２】長手方向中心線上に対立させた状態の正面図である。
【図３】継足し部の展開斜視図である。
【図４】継足し部の斜視図である。
【図５】直交部の斜視図である。
【図６】  (イ)(ロ)図は直交部の平面図である。
【図７】直交部の分離状態図である。
【図８】カーテンボックスの施工図である。
【図９】カーテンボックスの他の施工図である。
【図１０】天井際間接照明の縦断面図である。
【図１１】小窓用カーテンボックスを示す一部切欠平面図である。
【図１２】石膏ボード集積梱包状態の正面図である。
【符号の説明】
１      被覆シート
２      石膏ボード
２’    折畳石膏ボード
２”    対立面
ａ      長手方向中心線
３      Ｖ字溝
３’    底部
３”    幅の狭い平面
４      一端部一側
４’    他端部他側
５      他側
６’、６’  切欠先端面
７      外側先端面
７’    外側先端内側面
７”、７”  切欠内側面
Ｔ，ｔ    切欠長
８      方形空間
Ｈ      深さ
Ｗ      幅
９      方形補強材
１０      コーナー部
１１      金属製屈曲取付板
【図１】
0003704458.tif 000002
【図２】
0003704458.tif 000003
【図３】
0003704458.tif 000004
【図４】
0003704458.tif 000005
【図５】
0003704458.tif 000006
【図６】
0003704458.tif 000007
【図７】
0003704458.tif 000008
【図８】
0003704458.tif 000009
【図９】
0003704458.tif 000010
【図１０】
0003704458.tif 000011
【図１１】
0003704458.tif 000012
【図１２】
0003704458.tif 000013